(57)【要約】【課題】サイディングによりリフォームを行う際に耐震補強を行う場合や、外壁にサイディングを用いる住宅の施工時に、外観を損なうことがなく、取り付け作業が容易な補強板を提供する。【解決手段】補強板１は、住宅の土台２と柱３との直交部分に両部材に亘って取り付けられる。また、厚さが約６ｍｍのステンレス鋼板により形成され、上方部分が柱３に沿って上下方向に延設され、下方部分が土台２に沿って左右に延設される。また、その下方部分には下方に向けて開口する迂回部６が設けられる。また、補強板１は、サイディング４が壁面５の周囲に設置された状態では、サイディング４と壁面５との間に収納される。補強板１はサイディング４の内部に収納されるため、外部からは見えない。これにより、外観を損なうことなく住宅の補強を行うことができる。【選択図】　図１
2004036368.tif 000002
【特許請求の範囲】
【請求項１】
壁面に固定具を介して固定され前記壁面と所定の間隔を存して装着されるサイディングを備えた住宅を補強する補強板であって、
前記壁面と前記サイディングとの所定の間隔内に設置されると共に、複数の木製建材同士の結合箇所近傍に複数の木製建材に亘って固定され前記結合箇所を補強することを特徴とする補強板。
【請求項２】
前記補強板は、前記木製建材の結合箇所の近傍に設けられ前記複数の木製建材に互いに離反する方向に衝撃が加わった際に前記衝撃を吸収する緩衝部を備えていることを特徴とする請求項１に記載の補強板。
【請求項３】
前記補強板は、表裏に配設される一対の硬質板と、前記一対の硬質板の間に固定された弾性部材とからなることを特徴とする請求項１に記載の補強板。
【請求項４】
前記補強板は表裏を貫通する締結穴と、前記締結穴よりも大径の鍔部と前記締結穴に挿入される棒状の締結部とを有する締結部材と、前記鍔部と前記補強板との間及び前記締結穴と前記締結部との間に介在する弾性部材からなるブッシュとを備えていることを特徴とする請求項１乃至３のいずれか１項に記載の補強板。
【請求項５】
前記補強板は、垂直方向に延設される垂直建材と、前記垂直建材の左右どちらか一方向に水平に延設される水平建材との直交部分に設置され、
表裏を貫通する第１締結穴を有し締結部材により前記第１締結穴を介して前記垂直建材又は水平建材のどちらか一方の建材に取り付けられる第１取付部と、前記第１取付部と略同一の長さに形成され表裏を貫通する第２締結穴を有し締結部材により前記第２締結穴を介して他方の建材に取り付けられ前記第１取付部と直交する第２取付部とを備え、
前記第１取付部の端部から前記第１締結穴までの距離と前記第２取付部の端部から前記第２締結穴までの距離とが少なくとも前記締結部材の直径以上に異なっていることを特徴とする請求項１乃至４のいずれか１項に記載の補強板。
【請求項６】
前記補強板は、前記固定具が前記木製建材に固定された際に前記固定具を避ける迂回部を備えていることを特徴とする請求項１乃至５のいずれか１項に記載の補強板。
【請求項７】
前記補強板は、前記固定具を装着する装着部を備えていることを特徴とする請求項１乃至５のいずれか１項に記載の補強板。
【発明の詳細な説明】
【０００１】
【発明の属する技術の分野】
本発明は、外壁としてサイディングを用いている住宅を補強する金具に関する。
【０００２】
【従来の技術】
従来より、既存の住宅の補強を行うものとして耐震補強板が知られている。この耐震補強板は、住宅の基礎と柱及び土台とを連結し、地震の際のほぞ抜け等を防止するものである。このような従来の耐震補強板は、住宅の柱及び土台に取り付けなければならないため、外壁の表面から柱及び土台にラグスクリュー等で耐震補強板を取り付けていた。
【０００３】
一方、従来の住宅としては外壁としてサイディングを用いたものが知られている。このサイディングは、板状の軽量発泡コンクリート等より形成され、住宅の外面を覆うものであり、住宅の壁面に縦方向又は横方向の胴縁を釘打ち等により取り付け、その胴縁に釘打ちされて住宅の外周に取り付けられるものである。
また、このサイディングは、新築の住宅の他、既存の住宅のリフォーム用の外壁としても用いられている。この場合、既存の住宅の外壁に胴縁を取り付け、この胴縁にサイディングを取り付けることにより住宅の外壁とするものである。
このように外壁にサイディングを用いる場合、従来のような耐震補強板を用いるとサイディングの外側に設けるか、サイディングの一部を切り取って取り付ける必要があった。
【０００４】
しかしながら、外壁にサイディングを用いる大きな理由の一つとして、外壁の美観を向上させることがあげられるが、耐震補強板が露出すると美観を向上させる効果が大きく減退する。また、サイディングの一部を切り取る場合も美観を損なうと共に、施工が煩雑になり、費用がかさむという不都合がある。
【０００５】
【発明が解決しようとする課題】
本発明は、補強板の改良を目的とし、さらに詳しくは前記不都合を解消するために、サイディングによりリフォームを行う際に耐震補強を行う場合や、外壁にサイディングを用いる住宅の施工時に、外観を損なうことがなく、取り付け作業が容易な補強板を提供することを目的とする。
【０００６】
【課題を解決するための手段】
前記目的を達成するために、本発明の補強板は、壁面に固定具を介して固定され前記壁面と所定の間隔を存して装着されるサイディングを備えた住宅を補強する補強板であって、前記壁面と前記サイディングとの所定の間隔内に設置されると共に、複数の木製建材同士の結合箇所近傍に複数の木製建材に亘って固定され前記結合箇所を補強することを特徴とする。
【０００７】
本発明の補強板は、住宅の壁面とサイディングとの間隔に設置されるものであるため、この補強板はサイディングの内部に収納されて外側からは見えない。これにより、リフォームの際にサイディングを用いる場合であっても、住宅の新築時にサイディングを用いる場合であっても、外観を損なうことなく住宅の耐震補強を行うことができる。また、本発明の補強板は、複数の木製建材の結合箇所近傍に固定され、これらの木製建材の結合を補強するものであり、例えば土台と柱との結合を補強することにより、地震の際のいわゆるほぞ抜け等を防止することができる。
【０００８】
本発明の補強板においては、前記木製建材の結合箇所の近傍に設けられ前記複数の木製建材に互いに離反する方向に衝撃が加わった際に前記衝撃を吸収する緩衝部を備えていることが好ましい。地震等により住宅に振動が加わった場合、前記複数の木製建材の結合箇所においてはそれぞれの木造建材に互いに離反しようとする力が加わる場合がある。このような場合は、前記緩衝部により前記木製建材同士の離反がある程度許容されるため、補強板の取付箇所に加わる振動が緩和される。これにより、例えば付近の道路において大型トラック等の交通量が多く、住宅にしばしば振動が加わった場合であっても前記緩衝部によりその振動が緩衝されるので、補強板の取付部の損傷を防止することができる。
【０００９】
また、本発明の補強板は、表裏に配設される一対の硬質板と、前記一対の硬質板の間に固定された弾性部材とで構成してもよい。このように、表裏に鉄板或いはカーボン樹脂等の硬質板を用い、その間にゴム等の弾性部材を固定すると、木ねじ等の締結部材により前記補強板を取り付けた際に、住宅に振動が加わった場合であっても前記弾性部材の弾性によって振動が吸収される。
また、本発明の補強板においては、表裏を貫通する締結穴と、前記締結穴よりも大径の鍔部と前記締結穴に挿入される棒状の締結部とを有する締結部材と、前記鍔部と前記補強板との間及び前記締結穴と前記締結部との間に介在する弾性部材からなるブッシュとを備えていることが好ましい。
【００１０】
このように、補強板の取付部分に前記ブッシュを設けることにより、住宅に振動が加わった場合であっても前記ブッシュにより緩衝されるため、前記締結部材には振動が伝わりにくくなり、締結部材の緩みや損傷等が防止される。また、前記締結部材には前記鍔部が設けられているので、補強板は前記鍔部により前記ブッシュを介して前記壁面に取り付けられるため、補強板が壁面から外れることがない。
【００１１】
また、本発明の補強板は、垂直方向に延設される垂直建材と、前記垂直建材の左右どちらか一方向に水平に延設される水平建材との直交部分に設置され、表裏を貫通する第１締結穴を有し締結部材により前記第１締結穴を介して前記垂直建材又は水平建材のどちらか一方の建材に取り付けられる第１取付部と、前記第１取付部と略同一の長さに形成され表裏を貫通する第２締結穴を有し締結部材により前記第２締結穴を介して他方の建材に取り付けられ前記第１取付部と直交する第２取付部とを備え、前記第１取付部の端部から前記第１締結穴までの距離と前記第２取付部の端部から前記第２締結穴までの距離とが少なくとも前記締結部材の直径以上に異なるようにすることが好ましい。
【００１２】
例えば、住宅の角部の両面に補強板を取り付ける必要がある場合、双方から締結部材を垂直建材に螺着し或いは打ち込むと、締結部材同士が干渉してしまうおそれがある。本発明の補強板においては、このような場合に一方の面には第１取付部を垂直建材に取り付け、他方の面には第２取付部を垂直建材に取り付ければよい。これにより、第１締結穴と第２締結穴とは締結部材の直径以上に異なる位置に設けられているため、両金具の締結部材同士が干渉することがない。
【００１３】
また、本発明の補強板においては、前記固定具が前記木製建材に固定された際に前記固定具を避ける迂回部を備えていることが好ましい。前記迂回部が設けられている場合は、前記固定具を木製建材に取り付けることができるので、従来のサイディングの取付と同様の作業でサイディングを壁面に取り付けることができる。
【００１４】
或いは、本発明の補強板において、前記固定具を装着する装着部を備えてもよい。補強板そのものに前記固定具を取り付けることにより、例えば予め補強板に固定具を取り付けておくことにより、作業現場においては補強板を取り付けるだけでサイディングを装着することができる。
【００１５】
【発明の実施の形態】
次に、本発明の補強板の実施形態の一例について、図１乃至図７を参照して説明する。図１は第１の実施形態の補強板が土台と柱に亘って取り付けられている状態を示す説明図、図２は第２の実施形態の補強板が住宅の角部に取り付けられている状態を示す説明図、図３は図２の一部拡大断面図、図４は第３の実施形態の補強板を示す説明図、図５は図４のＶ−Ｖ線断面図、図６は他の実施形態の補強板を示す説明図、図７ａ〜ｄは他の実施形態の補強板を示す説明図である。
【００１６】
まず、第１の実施形態の補強板１について図１を参照して説明する。第１の実施形態の補強板１は、図１に示すように、住宅の土台２と柱３との直交部分に両部材に亘って取り付けられるものである。また、本実施形態の補強板１は、サイディング４が壁面５の周囲に設置された状態では、サイディング４と壁面５との間に収納される。尚、第１の実施形態においては既存の住宅のリフォームにおいて外壁にサイディングを用いる場合について説明する。
【００１７】
第１の実施形態の補強板１は、厚さが約６ｍｍのステンレス鋼板により形成されている。また、図１に示すように上方部分が柱３に沿って上下方向に延設され、下方部分が土台２に沿って左右に延設されている。また、その下方部分には下方に向けて開口する迂回部６が設けられている。サイディング４の取り付けは胴縁７に所定の金具８を介して行われるが、迂回部６はこの胴縁７及び金具８を迂回するために設けられている。
【００１８】
このように形成された補強板１には表裏を貫通する締結穴９が形成されており、この締結穴９には図１に示すように締結部材である木ねじ１０が挿通され、土台２及び柱３に固定されている。本実施形態においては、補強板１が約６ｍｍ、スプリングワッシャを含むワッシャ１１の厚さが合わせて約６ｍｍ、木ねじ１０の頭部の高さが約４ｍｍとなっており、壁面５からの高さは約１６ｍｍとなっている。通常、サイディング４と壁面５との間は約１８ｍｍの間隔が設けられている。このため、本実施形態の補強板１は、サイディング４と壁面５との間隙に収納することができる。
【００１９】
また、迂回部６が設けられているため、サイディング４の取付は従来と同様に胴縁７に金具８を取り付け、この金具８にサイディング４を取り付ければよい。このように、第１の実施形態の補強板１によれば、サイディング４の取付は従来のものと同様に行うことができる。
【００２０】
次に、本発明の第２の実施形態の補強板２１について図２及び図３を参照して説明する。住宅の角部においては、図２に示すように、土台２と柱３とがＬ字型に結合している。このような箇所においては、図２に示すような第２の実施形態の補強板である略Ｌ型の補強板２１を用いる。この略Ｌ型の補強板２１は、互いに直交する第１取付部２２と第２取付部２３とを備えている。図２の正面側を向いている補強板２１においては、第１取付部２２は柱３に沿って垂直方向に延設されており、第２取付部２３は土台２に沿って水平方向に延設されている。一方、図２において奥行き方向に設けられている補強板２１は、柱３に沿って垂直方向に第２取付部２３が延設され、土台２に沿って水平方向に第１取付部２２が延設されるように設置されている。
【００２１】
第２の実施形態の補強板２１は、このように第１取付部２２を垂直方向にしても設置することができ、第２取付部２３を垂直方向にして設置することもできるように形成されている。また、第１取付部２２には締結部材である木ねじ１０を挿通させるための第１締結穴２４が設けられており、同様に第２取付部２３には第２締結穴２５が設けられている。そして、第１取付部２２の端部から第１締結穴２４までの寸法は、第２取付部２３の端部から第２締結穴２５までの寸法とが異なるように形成されている（Ａ＞ａ、Ｂ＞ｂ）。この寸法の差は、少なくとも締結部材である木ねじ１０の直径以上としている。尚、その他の構成において上記第１の実施形態と同様のものについては同様の符号を付して詳細な説明は省略する。
【００２２】
図２に示すように、住宅の角部の両面に補強板２１を設置する場合、補強板２１の取り付け方向を図２のように交互に異ならせることにより、それぞれの補強板２１を取り付ける木ねじ１０同士が互いに干渉しないため、住宅の角部においても十分な補強を行うことができる。
【００２３】
また、本実施形態においては、第１締結穴２４及び第２締結穴２５には、図３に示すようにゴムブッシュ２６を介して木ねじ１０が挿通されている。木ねじ１０はワッシャ１１によってゴムブッシュ２６を補強板２１の表面に押しつけることにより補強板２１を壁面５に固定している。
【００２４】
第２の実施形態の補強板２１は、上記構成を備えているため、例えば地震によって縦揺れが生じた場合、柱３が土台２から離れる方向に力が加わるが、この場合、補強板１はゴムブッシュ２６を介して木ねじ１０によって柱３及び土台２に固定されているため、初期の衝撃加重はこのゴムブッシュ２６によって緩衝される。また、付近に道路があり、トラック等の往来が激しい場合は住宅に長時間振動が加わるが、ゴムブッシュ２６によってこの振動が吸収されるので、木ねじ１０のゆるみや木製建材の損傷等を防ぐことができる。
【００２５】
上記第１の実施形態の補強板１と第２の実施形態の補強板２１は、最下段のサイディング４の高さよりも低くなるように形成されている。通常、サイディング４は、その幅が規格により定められているものが多い。本実施形態の補強板１は、このようにサイディング４の幅よりも低くなるように形成することにより、サイディング４の加工等を行うことなくその長手方向の任意の箇所に補強板１を取り付けることができる。
【００２６】
次に、第３の実施形態の補強板３１について図４及び図５を参照して説明する。第３の実施形態の補強板３１は、図４に示すように、第１の実施形態と同様に住宅の土台２と柱３との直交部分に両部材に亘って取り付けられている。一方、この第３の実施形態の補強板３１においては、上記第１及び第２の実施形態とは異なり、迂回部は設けられておらず、補強板３１の表面にサイディング４を取り付けるための金具８を取り付けている。この金具８は、補強板３１に予め固定されている。
【００２７】
また、補強板３１の下方において、土台２と柱３との境界部近傍には、図５に示すように一部が前方に突出する緩衝部３２が設けられている。この緩衝部３２は、補強板３１に曲げ加工を施し、表面側に円弧状に突出させることにより形成されている。尚、その他の構成において上記第１の実施形態と同様のものについては同様の符号を付して詳細な説明は省略する。
【００２８】
ここで、地震により縦揺れが生じた場合、柱３には土台２から抜けようとする衝撃が加わるが、緩衝部３２がその衝撃を緩衝するため、木ねじ１０に伝達する衝撃が緩和される。また、サイディング４を取り付けるための金具８は、予め補強板３１に取り付けられているので、作業現場においては、補強板３１を設置するだけで金具８の設置作業は不要となる。また、補強板３１の表面に金具８を取り付けているものであるため、図５に示すように最下段のサイディング４の幅よりも高くしてもよい。このため、土台２と柱３との結合をさらに強固なものにすることができる。
【００２９】
尚、第３の実施形態における補強板３１においては、金具８は予め補強板３１に固定していたが、これに限らず、作業現場において取り付けてもよい。この場合、補強板３１には予め複数のねじ穴を設けておき、作業現場において補強板３１の加工を行うことなく金具８を取り付けることができるようにすることが好ましい。
【００３０】
次に、本発明の他の実施形態の補強板３３について図６を参照して説明する。補強板３３は、図６に示すように、下方部分は上記第２の実施形態と同様であるが、その上方部分から金具８を迂回して上方に延設されている点が異なる。このように金具８を迂回する迂回部６を設けることにより、サイディング４の幅にとらわれることなく住宅の補強を行うことができる。
【００３１】
また、補強板の形状は、上記実施形態において開示されているものに限定されるものではなく、図７に示すように様々な形状とすることができる。例えば、図７（ａ）に示すように、第１の実施形態の補強板１の側方部分をさらに補強するようにしてもよい。また、図７（ｂ）に示すように、第１の実施形態の補強板１を全体的に曲線状とし、さらに略中央部分に側面視で波形に曲げ加工を行った緩衝部３２を設けてもよい。
【００３２】
或いは、図７（ｃ）に示すように、柱３の左右から梁３４が結合されている箇所において、四方の木製建材を補強するような形状としてもよい。さらに、図７（ｄ）に示すように、第２の実施形態の補強板２１を２枚組み合わせるようにして住宅の角部を補強するものとしてもよい。この場合、第２の実施形態と同様に、締結穴の位置をずらすことが好ましい。
【００３３】
また、図７（ｅ）に示すように、補強板の表裏に鉄板等の硬質板３５を用い、その間にゴム板等の弾性部材３６を挟んで接着してもよい。このように硬質板３５を弾性部材３６で挟むことにより、これを木ねじ１０で固定すると、弾性部材３６を介して木製建材に固定される。従って、住宅に振動が加わった場合であっても、弾性部材３６により吸収されて、木ねじ１０と補強板との結合部分への負担が軽減される。硬質板３５としては、鉄板の他、カーボン樹脂等を用いることができ、弾性部材３６としてはゴムの他、弾性を有する合成樹脂を用いることができる。
【００３４】
上記本発明の補強板により補強された住宅は、これらの補強板がサイディング４により覆われているため、外観は補強をしていない住宅と変わりはない。一方、地震が発生した場合は、補強板によって、例えば柱３の先端に設けられている「ほぞ」（図示せず）が土台２に設けられている「ほぞ穴」から抜けるいわゆる「ほぞ抜け」を防止することができる。
また、サイディングを取り付けるための金具８は、製造メーカー毎に異なる場合が多いが、本発明の補強板によれば、多くのメーカーの金具を取り付けることができる。
【００３５】
尚、上記各実施形態においては、補強板を金属板により形成しているが、これに限らず、カーボン樹脂やＦＲＰ等の合成樹脂を用いてもよい。また、締結部材としては木ねじ１０を用いているが、これに限らず、釘や植え込みボルト等を用いてもよい。
【図面の簡単な説明】
【図１】第１の実施形態の補強板が土台と柱に亘って取り付けられている状態を示す説明図。
【図２】第２の実施形態の補強板が住宅の角部に取り付けられている状態を示す説明図。
【図３】図２の一部拡大断面図。
【図４】第３の実施形態の補強板を示す説明図。
【図５】図４のＶ−Ｖ線断面図。
【図６】他の実施形態の補強板を示す説明図。
【図７】ａ〜ｅは他の実施形態の補強板を示す説明図。
【符号の説明】
１…補強板、２…土台（木製建材）、３…柱（木製建材）、４…サイディング、５…壁面、８…固定具。
【図１】
2004036368.tif 000003
【図２】
2004036368.tif 000004
【図３】
2004036368.tif 000005
【図４】
2004036368.tif 000006
【図５】
2004036368.tif 000007
【図６】
2004036368.tif 000008
【図７】
2004036368.tif 000009